(57)【要約】【課題】  追い炊き時に、浴槽内全体の浴槽水に温度差が生じにくいようにすることができ、しかも、浴槽水の温度を効率良く上昇させることができる無極性型の浴槽用循環具を提供する。【解決手段】  第１接続部と吐出口とを連通する流路上には、第１接続部から吐出口側へ向かう浴槽水の流れを許容するとともにその逆方向の流れを規制する吐出側第１逆止弁４７を設ける。また、第２接続部と吐出口とを連通する流路上には、第２接続部から吐出口へ向かう浴槽水の流れを許容するとともにその逆方向の流れを規制する吐出側第２逆止弁４８を設ける。両逆止弁４７，４８をボール式逆止弁とするとともにボール５０が鉛直方向に開閉動作する状態で両逆止弁４７，４８を隣接させる。また、吐出口を真下に向けて開口させる。【選択図】      図１２
2006046828.tif 000002
【特許請求の範囲】
【請求項１】
浴槽外部の循環式給湯機との間に設けられた浴槽水の往路又は復路が接続される第１接続部及び第２接続部と、同第１接続部又は第２接続部を介して循環式給湯機が浴槽内の浴槽水を吸い込むための第１吸込口及び第２吸込口と、同第１接続部又は第２接続部を介して循環式給湯機が浴槽内に浴槽水を吐出するための第１吐出口及び第２吐出口と、
前記第１接続部と前記第１吐出口とを連通する流路上に設けられ、同第１接続部側から第１吐出口側へ向かう浴槽水の流れを許容するとともにその逆方向の流れを規制する吐出側第１逆止弁と、
前記第２接続部と前記第２吐出口とを連通する流路上に設けられ、同第２接続部側から第２吐出口側へ向かう浴槽水の流れを許容するとともにその逆方向の流れを規制する吐出側第２逆止弁とを備え、
前記第１吸込口から前記第１接続部へ向かう浴槽水の流れを許容するとともにその逆方向の流れを規制し、また、前記第２吸込口から前記第２接続部へ向かう浴槽水の流れを許容するとともにその逆方向の流れを規制するように構成した浴槽用循環具において、
前記吐出側第１及び第２逆止弁をボール式の逆止弁とし、同両逆止弁を前記ボールが鉛直方向に開閉動作するように構成するとともに、前記第１吐出口及び第２吐出口を略真下に向けて開口させたことを特徴とする浴槽用循環具。
【請求項２】
前記第１及び第２吐出口を、前記吐出側第１逆止弁の吐出側と前記吐出側第２逆止弁の吐出側とを循環具本体内に設けた共通の吐出空間に開口させたことを特徴とする請求項１に記載の浴槽用循環具。
【請求項３】
前記循環具本体には、前記第１吐出口及び第２吐出口から前記吐出空間内に吐出された浴槽水を、浴槽の側壁側に傾いた方向に向かわせる案内部を設けたことを特徴とする請求項２に記載の浴槽用循環具。
【請求項４】
前記吐出側第１及び第２逆止弁の弁座及び弁体収容部を、循環具本体に一体に形成したことを特徴とする請求項１〜請求項３のいずれか一項に記載の浴槽用循環具。
【請求項５】
前記ボールを弁体収容部内に保持する弁蓋体を、前記循環具本体に対し、同ボールの開閉動作方向と直交する方向から組み付けるように構成したことを特徴とする請求項４に記載の浴槽用循環具。
【発明の詳細な説明】
【技術分野】
【０００１】
本発明は、浴槽の側壁に固定された状態で浴槽外部の循環式給湯機から循環用の供給管及び戻り管が接続される浴槽用循環具に関するものである。
【背景技術】
【０００２】
この種の浴槽用循環具としては、例えば特許文献１に記載されているものが知られている。この浴槽用循環具は、浴槽外部に設けられた循環式給湯機との間において給湯管及び戻し管が接続される第１接続部及び第２接続部を備えている。また、浴槽用循環具は、第１接続部又は第２接続部を介して循環式給湯機が浴槽内の浴槽水を吸い込むための第１吸込口及び第２吸込口と、第１接続部又は第２接続部を介して循環式給湯機が浴槽内に加熱水を供給するための第１吐出口及び第２吐出口とを備えている。さらに、第１接続部と第１吐出口とを連通する流路上には、水より軽い浮玉を弁体とした第１逆止弁を備え、第２接続部と第２吐出口とを連通する流路上には、第１逆止弁と同様の第２逆止弁を備えている。そして、循環式給湯機から第１接続部を介して供給された加熱水は、第１逆止弁を通って第１吐出口から浴槽内に供給される。一方、浴槽内の浴槽水は、第２逆止弁により第２吐出口から吸い込まれることが規制され、第２吸込口を通じて戻し管側に吸い込まれる。反対に、循環式給湯機から第２接続部を介して供給された加熱水は、第２逆止弁を通って第２吐出口から浴槽内に供給される。一方、浴槽内の浴槽水は、第１逆止弁により第１吐出口から吸い込まれることが規制され、第１吸込口を通じて戻し管側に吸い込まれる。
【特許文献１】特開１０−３２５６１４号公報（第６頁〜第７頁、第１９図〜第２４図）
【発明の開示】
【発明が解決しようとする課題】
【０００３】
一般的に、浴槽用循環具は、浴槽の長手方向において互いに対面する両側壁の一方における左右中央位置に取付固定される。このような浴槽用循環具から浴槽内に吐出される浴槽水は、浴槽用循環具からそのほぼ下方に向かって吐出されることが望ましい。これは、浴槽用循環具から浴槽内に吐出された加熱水を、浴槽の底面に沿って浴槽の長手方向に移動させることができ、浴槽底面側の温度が相対的に低い浴槽水全体と加熱水とを良く混じり合わせることができるため、浴槽内全体の浴槽水に生じる温度差が最も小さくなるためである。
【０００４】
しかしながら、上記特許文献１の浴槽用循環具では、循環式給湯機から供給された加熱水は、左又は右斜め下向きに開口する湯水通路から浴槽用循環具の左又は右斜め下向きに吐出されるようになっている。このため、浴槽内に吐出された加熱水は、浴槽の幅方向において対面する両側壁の一方側に偏るため、浴槽内全体の浴槽水に生じる温度差がより大きくなる。
【０００５】
このような問題を解消するために、特許文献１に記載の浴槽用循環具において、両湯水通路を、浴槽用循環具の真下に向けて開口させることが考えられる。ところが、この場合には、両湯水通路の一方から浴槽内に吐出された加熱水の一部が、他方の湯水通路に吸い込まれて循環式給湯機側に戻ってしまい、浴槽内の浴槽水の温度が効率良く上昇しない問題が発生する。これは、両湯水通路の一方から加熱水が浴槽内に吐出されるときには、他方の湯水通路における弁口が浮玉によって閉じられるが、このとき、浮玉が軽いため、その作動状態に安定性が不足し、弁口が確実に閉じられない状態が発生するためである。このため、浴槽内全体の浴槽水に生じる温度差を抑制し、しかも、浴槽水の温度を効率良く上昇させることは困難であった。
【０００６】
本発明は、このような従来技術に存在する問題点に着目してなされたものである。その目的とするところは、追い炊き時に、浴槽内全体の浴槽水に温度差が生じにくいようにすることができ、しかも、浴槽水の温度を効率良く上昇させることができる無極性型の浴槽用循環具を提供することにある。
【課題を解決するための手段】
【０００７】
上記の目的を達成するために、請求項１に記載の発明は、浴槽外部の循環式給湯機との間に設けられた浴槽水の往路又は復路が接続される第１接続部及び第２接続部と、同第１接続部又は第２接続部を介して循環式給湯機が浴槽内の浴槽水を吸い込むための第１吸込口及び第２吸込口と、同第１接続部又は第２接続部を介して循環式給湯機が浴槽内に浴槽水を吐出するための第１吐出口及び第２吐出口と、前記第１接続部と前記第１吐出口とを連通する流路上に設けられ、同第１接続部側から第１吐出口側へ向かう浴槽水の流れを許容するとともにその逆方向の流れを規制する吐出側第１逆止弁と、前記第２接続部と前記第２吐出口とを連通する流路上に設けられ、同第２接続部側から第２吐出口側へ向かう浴槽水の流れを許容するとともにその逆方向の流れを規制する吐出側第２逆止弁とを備え、前記第１吸込口から前記第１接続部へ向かう浴槽水の流れを許容するとともにその逆方向の流れを規制し、また、前記第２吸込口から前記第２接続部へ向かう浴槽水の流れを許容するとともにその逆方向の流れを規制するように構成した浴槽用循環具において、前記吐出側第１及び第２逆止弁をボール式の逆止弁とし、同両逆止弁を前記ボールが鉛直方向に開閉動作するように構成するとともに、前記第１吐出口及び第２吐出口を略真下に向けて開口させたことを特徴とする。なお、ここで「略真下」とは、鉛直方向から最大で３０°までの範囲内で傾いた方向をも含む。
【０００８】
請求項２に記載の発明は、請求項１に記載の発明において、前記第１及び第２吐出口を、前記吐出側第１逆止弁の吐出側と前記吐出側第２逆止弁の吐出側とを循環具本体内に設けた共通の吐出空間に開口させたことを特徴とする。
【０００９】
請求項３に記載の発明は、請求項２に記載の発明において、前記循環具本体には、前記第１吐出口及び第２吐出口から前記吐出空間内に吐出された浴槽水を、浴槽の側壁側に傾いた方向に向かわせる案内部を設けたことを特徴とする。
【００１０】
請求項４に記載の発明は、請求項１〜請求項３のいずれか一項に記載の発明において、前記吐出側第１及び第２逆止弁の弁座及び弁体収容部を、循環具本体に一体に形成したことを特徴とする。
【００１１】
請求項５に記載の発明は、請求項４に記載の発明において、前記ボールを弁体収容部内に保持する弁蓋体を、前記循環具本体に対し、同ボールの開閉動作方向と直交する方向から組み付けるように構成したことを特徴とする。
【発明の効果】
【００１２】
本発明によれば、次のような効果を発揮することができる。
請求項１に記載の発明においては、吐出側第１逆止弁及び吐出側第２逆止弁が共にボール式逆止弁であってボールが鉛直方向に開閉動作する状態で隣接されているので、ばねを用いた逆止弁に較べて、ボールの開閉動作に浴槽水中の毛髪やタオル繊維等が悪影響を及ぼしにくい。従って、吐出側第１逆止弁（吐出側第２逆止弁）から吐出された浴槽水の一部が、完全に閉じていない吐出側第２逆止弁（吐出側第１逆止弁）を通じて循環式給湯機に戻ってしまうことがないので、浴槽内の浴槽水の温度を効率的に上昇させることができる。しかも、第１吐出口及び第２吐出口が浴槽用循環具の略真下に向いて開口しているので、循環式給湯機から浴槽用循環具に供給された浴槽水は、浴槽用循環具から浴槽の下方に向かって吐出される。従って、浴槽内の浴槽水において、上下方向で発生する温度差が抑制され、浴槽内の浴槽水全体の温度がより均一な状態で上昇する。
【００１３】
請求項２に記載の発明では、第１吐出口又は第２吐出口から吐出された浴槽水が、いずれも同一の吐出口から浴槽内に吐出されるので、請求項１に記載の効果がより顕著となる。
【００１４】
請求項３に記載の発明では、吐出空間に設けられた案内部により、吐出側第１逆止弁又は吐出側第２逆止弁から吐出空間に吐出された浴槽水を、浴槽用循環具が取付固定された浴槽の側壁側に傾いた方向に向かわせるように案内したので、請求項１に記載の効果がより顕著となる。
【００１５】
請求項４に記載の発明では、吐出側第１逆止弁及び吐出側第２逆止弁の弁座及び弁体収容部を循環具本体に一体形成したので、部品点数及び組立工数を削減することができる。
請求項５に記載の発明では、吐出側第１逆止弁及び吐出側第２逆止弁の組立が容易となる。
【発明を実施するための最良の形態】
【００１６】
次に、本発明を具体化した一実施形態を図１〜図１３に従って説明する。
図２及び図３に示すように、本実施形態の浴槽用循環具１０は、浴槽１１の長手方向において互いに対面する両側壁１２の一方においてその中央位置に設けられた貫通孔１２ａに固定される。浴槽用循環具１０には、浴槽１１に加熱水を供給するための往路としての給湯管１４と、浴槽１１から浴槽水を吸い込むための復路としての戻り管１５とを介して、浴槽１１外部に設けられた強制循環式給湯機１３（以下、給湯機という。）が接続される。
【００１７】
図１に示すように、浴槽用循環具１０は、前記側壁１２の貫通孔１２ａに浴槽１１の内側から挿入されるスリーブ１６と、同側壁１２の外側に配置される後面ケース１７と、前記スリーブ１６に挿入固定される循環具本体１８と、この循環具本体１８に取り付けられるフィルタ１９とを備えている。
【００１８】
図４に示すように、前記後面ケース１７は金属からなり、その後端部（図１及び図４の右端部）には、前記給湯管１４及び戻し管１５が接続される第１接続部２０及び第２接続部２１が設けられている。第１接続部２０は、後面ケース１７の中心部に設けられた内室２２に連通され、第２接続部２１は、後面ケース１７の外周部に設けられた外室２３に連通されている。内室２２の開口部内周に設けられた周溝には、Ｏリング２４が装着されている。後面ケース１７の開口部内周面には、雌ねじ部２５が設けられている。後面ケース１７の開口端部にはフランジ部２６が設けられ、そのフランジ部２６には側壁１２の外面との水密を確保するためのシール部材２７が被せられている。なお、本実施形態の浴槽用循環具１０は、いわゆる無極性型であって、給湯管１４を第１接続部２０に接続し、戻し管１５を第２接続部２１に接続してもよく、反対に、給湯管１４を第２接続部２１に接続し、戻し管１５を第１接続部２０に接続しても使用可能な構造を備えている。
【００１９】
図１及び図４に示すように、前記スリーブ１６はポリアセタール等の合成樹脂により略円筒状に形成され、その一端にはフランジ２８が突設されている。スリーブ１６の外周面には雄ねじ部２９が設けられ、この雄ねじ部２９は、前記側壁１２の貫通孔１２ａを通じて前記後面ケース１７の雌ねじ部２５に螺合されている。これにより、後面ケース１７及びスリーブ１６は、側壁１２を挟んで互いに連結され、貫通孔１２ａに支持されている。スリーブ１６の内周面には、その軸線方向に延びる位置決め用突起３０が複数設けられている。フランジ２８の外周面には、係合用周溝３１（図１に図示）が凹設されている。フランジ２８と側壁１２内面との間にはパッキン３２が挟着され、両者間の水密を確保している。
【００２０】
図１及び図４に示すように、前記循環具本体１８はポリアセタール等の合成樹脂により略円柱状に形成され、その内端部の内周面には抜け防止爪３３（図４に図示）が突設され、前記スリーブ１６の係合用周溝３１に係合されるようになっている。図５及び図６に示すように、循環具本体１８の中心部には、前記後面ケース１７の内室２２に連通される第１通水路３４が設けられ、その周囲には後面ケース１７の外室２３に連通される第２通水路３５（図５に図示）が設けられている。第１通水路３４と第２通水路３５との間には、両通路３４，３５を区画する仕切り壁３６が設けられている。また、循環具本体１８の後部には位置決め用の係合部３７（図６に図示）が設けられ、スリーブ１６の位置決め用突起３０に係合して循環具本体１８の周方向への回転が規制されている。また、図５及び図６に示すように、循環具本体１８の前面側下部には、第１通水路３４及び第２通水路３５が連通する吐出通路形成部３８が設けられている。第１通水路３４及び第２通水路３５と吐出通路形成部３８との間には、後述する吐出側第１逆止弁４７及び吐出側第２逆止弁４８を構成するための弁座３９及び弁体収容部４０（図５に図示）が循環具本体１８に一体形成されている。弁座３９は、図７及び図８（ａ），（ｂ）に示すように、吐出通路形成部３８側に円形の弁口３９ａを有している。弁体収容部４０は、その吐出通路形成部３８側が開口されている。
【００２１】
また、図５に示すように、循環具本体１８の前面側には、前記フィルタ１９を介して浴槽１１内の浴槽水を吸い込むための一対の吸込部４１，４２が凹設されている。図１２に示すように、吸込部４１は、吸込側第１逆止弁４３を介して前記第１通水路３４に連通されている。吸込側第１逆止弁４３は、図１１（ａ），（ｂ）に示すように、循環具本体１８の前面に支持される基部４４と、その下面から後方へ延びる弁板４５とにより構成され、吸込部４１から第１通水路３４へ向かうの浴槽水の流れを許容するとともにその逆方向の流れを規制するようになっている。前記吸込部４２は、吸込側第２逆止弁４６を介して前記第２通水路３５に連通されている。吸込側第２逆止弁４６は、前記吸込側第１逆止弁４３と同じ構成であって、吸込部４２から第２通水路３５へ向かう浴槽水の流れを許容するとともにその逆方向の流れを規制するようになっている。なお、両逆止弁４３，４６は、エチレン−プロピレン−ジエン共重合ゴム（Ethylene Propylene Diene Monomer；ＥＰＤＭ ）等の合成ゴムにより一体成形されている。
【００２２】
図１２に示すように、前記第１通水路３４と前記吐出通路形成部３８との間には、吐出側第１逆止弁４７が設けられ、第１通水路３４から吐出通路形成部３８へ向かう浴槽水の流れを許容するとともにその逆方向の流れを規制するようになっている。また、前記第２通水路３５と吐出通路形成部３８との間には吐出側第２逆止弁４８が設けられ、第２通水路３５から吐出通路形成部３８へ向かう浴槽水の流れを許容するとともにその逆方向の流れを規制するようになっている。吐出側第１逆止弁４７は、図１３（ａ），（ｂ）に示すように、前記弁座３９及び弁体収容部４０と、弁体収容部４０の開口側に配置される弁蓋体４９と、弁体収容部４０内に収容される弁体としてのボール５０とにより構成されている。ボール５０は、エチレン−プロピレン−ジエン共重合ゴム等の合成ゴム、あるいは、水より比重がやや大きいポリアセタール等の合成樹脂により一体成形されている。吐出側第２逆止弁４８は、吐出側第１逆止弁４７と同様に構成されている。弁蓋体４９は、図１３（ａ）〜（ｃ）に示すように、２つの枠が一体化された枠体４９ａと、枠毎にその内側に突出する係止片４９ｂとにより構成され、ボール５０を弁体収容部４０内に保持する。弁蓋体４９は、弁体収容部４０にボール５０を入れた後に、循環具本体１８に設けられた凹部１８ａ（図５、図１２及び図１３（ｃ）に図示）に対し矢印Ｈ（図１３（ｃ）に図示）方向に嵌め込まれることにより循環具本体１８に組み付けられるようになっている。すなわち、弁蓋体４９は、前記ボール５０の開閉動作方向と直交する方向から循環具本体１８に組み付けられるようになっている。
【００２３】
図１３（ａ），（ｃ）に示すように、各逆止弁４７，４８においてボール５０が弁蓋体４９に係止された状態では、ボール５０と弁蓋体４９との間に流路が形成され、逆止弁４７，４８が開状態となる。なお、浴槽用循環具１０は、両逆止弁４７，４８において、弁座３９がボール５０の上方において水平に配置され、ボール５０の開閉動作方向が鉛直となるようにして浴槽１１に設置される。そして、吐出側第１逆止弁４７は、第１接続部２０を通じて第１通水路３４に浴槽水が供給されたときに、図１３（ａ）に示すように、第１通水路３４に供給された浴槽水の圧力によりボール５０が弁蓋体４９に当接した状態で保持され、第１通水路３４から吐出通路形成部３８へ向かう浴槽水の流れを許容する。一方、吐出側第１逆止弁４７は、第１接続部２０を通じて第１通水路３４から浴槽水が吸い込まれたときに、図１３（ｂ）に示すように、第１通水路３４における浴槽水の圧力とそれよりも高い吐出通路形成部３８における浴槽水の圧力との差によりボール５０が上昇して弁座３９に当接する位置に保持される。そして、吐出側第１逆止弁４７は、吐出通路形成部３８から第１通水路３４へ向かう浴槽水の流れを規制する。同様に、吐出側第２逆止弁４８は、第２接続部２１を通じて第２通水路３５に浴槽水が供給されたときに、第２通水路３５から吐出通路形成部３８へ向かう浴槽水の流れを許容し、また、第２接続部２１を通じて第２通水路３５から浴槽水が吸い込まれたときに、吐出通路形成部３８から第２通水路３５へ向かう浴槽水の流れを規制する。
【００２４】
図１に示すように、循環具本体１８の前面側には図９（ａ），（ｂ）に示すカバー５１が取付固定され、このカバー５１により、第１通水路３４、第２通水路３５、両吸込部４１，４２及び吐出通路形成部３８が外部から区画されている。また、カバー５１の当接により、両逆止弁４３，４６及び弁蓋体４９が循環具本体１８に固定されている。カバー５１には、図９（ａ）に示すように、前記両吸込部４１，４２に対応する位置に、フィルタ１９を介して浴槽水を両吸込部４１，４２に吸い込むための一対の吸込孔５２，５３が透設されている。また、図９（ｂ）に示すように、カバー５１において吐出通路形成部３８に対応する位置には、カバー５１の下端側ほどより大きく突出する案内部５４が設けられている。そして、図４及び図１３（ａ），（ｂ）に示すように、カバー５１により、前記吐出側第１逆止弁４７の吐出側と、吐出側第２逆止弁４８の吐出側とが開口する吐出空間５５が吐出通路形成部３８内に形成されている。さらに、案内部５４は、各逆止弁４７，４８から吐出空間５５に吐出された浴槽水の向きを、浴槽用循環具１０の真下に向かう向きから、浴槽用循環具１０が設けられた側壁１２側に傾いた方向に案内するようになっている。
【００２５】
図１及び図４に示すように、前記フィルタ１９は有底筒状のフィルタベース５６と、このフィルタベース５６に被せられるフィルタカバー５７と、フィルタベース５６とフィルタカバー５７との間に挟持されるフィルタとしての金網５８とから構成されている。図１０に示すように、フィルタベース５６はポリアセタール等の合成樹脂により一体成形され、その底壁前面には円状の内側突条５９と、この内側突条５９を内包する外側突条６０とが同一中心となるように一体形成されている。フィルタベース５６の底壁には、内側突条５９及び外側突条６０の間に、略扇状の吸込口６１が複数円環状に並んだ状態で形成されている。フィルタベース５６の底壁内面には、前記カバー５１の前面に対し、両吸込孔５２，５３の間において当接する突条部６２が設けられている。また、フィルタベース５６の周壁には、前記吐出通路形成部３８の循環具本体１８における外周面上の開口部に対応する位置に配置される吐出口６３が設けられている。図１に示すように、前記フィルタカバー５７は、ステンレス板からプレス成形され、その底壁には略扇状の吸込口６４が複数円環状に並んで形成されている。各吸込口６４は、前記フィルタベース５６の各吸込口６１に対応するように設けられている。また、図４及び図１３（ａ），（ｂ）に示すように、フィルタカバー５７の周壁には、フィルタベース５６の吐出口６３に対応する位置に配置される吐出口６５が設けられている。前記金網５８はステンレス製であって、前記外側突条６０とほぼ同じ直径に形成され、フィルタベース５６前面において両突条５９，６０で囲まれた円環状の領域と各吸込口６４とを塞ぐように、フィルタベース５６とフィルタカバー５７との間に挟持されている。フィルタ１９は、フィルタベース５６の内周面に設けられた図示しない係合突起が、循環具本体１８の外周面に設けられた係合凹部６６（図１に図示）に係合することにより、循環具本体１８に対し所定の回転位置関係で取付固定される。このとき、フィルタベース５６の突条部６２が、循環具本体１８のカバー５１の前面に当接する。すなわち、図１３（ａ），（ｂ）に示すように、循環具本体１８の前面とフィルタベース５６の後面との間には、各吸込孔５２，５３と各吸込口６１とを連通する吸込通路６７が形成されている。また、フィルタベース５６とフィルタカバー５７との間には、各吸込口６１と各吸込口６４とを連通する円環状の吸込通路６８が形成されている。本実施形態では、吸込部４１、吸込孔５２、吸込通路６７、吸込口６１、吸込通路６８及び吸込口６４が第１吸込口を構成し、吸込部４２、吸込孔５３、吸込通路６７、吸込口６１、吸込通路６８及び吸込口６４が第２吸込口を構成する。また、吐出口６３，６５が第１吐出口及び第２吐出口を構成する。フィルタ１９は、前記各逆止弁４７，４８におけるボール５０の開閉動作方向が鉛直方向となるように浴槽１１に取付固定された循環具本体１８に対し、前記吐出口６５が真下を向くようにして取付固定される。
【００２６】
さて、浴槽１１の側壁１２に取付固定された浴槽用循環具１０を使用する場合には、例えば、第１接続部２０に給湯管１４を接続し、第２接続部２１に戻し管１５を接続する。そして、給湯機１３を運転すると、第２接続部２１及び外室２３を介して第２通水路３５から浴槽水が吸い込まれ、これにより、吸込側第２逆止弁４６が開くとともに吐出側第２逆止弁４８が閉じる。このため、浴槽１１内の浴槽水は、フィルタ１９前面の吸込口６４から、吸込通路６８、各吸込口６１、吸込通路６７、カバー５１の吸込孔５３、吸込部４２、吸込側第２逆止弁４６、第２通水路３５、外室２３及び第２接続部２１を経て戻し管１５に吸い込まれ給湯機１３に戻される。一方、給湯機１３で加熱された浴槽水は、給湯管１４から第１接続部２０及び内室２２を介して第１通水路３４に供給され、これにより、吸込側第１逆止弁４３が閉じるとともに吐出側第１逆止弁４７が開く。このため、給湯機１３から給湯管１４を介して供給される加熱水は、第１接続部２０、内室２２、第１通水路３４、吐出側第１逆止弁４７、吐出通路形成部３８、吐出口６３，６５を経て浴槽１１内に吐出される。
【００２７】
また、浴槽用循環具１０に対し、上記とは逆に、第２接続部２１に給湯管１４を接続し、第１接続部２０に戻し管１５を接続した状態で給湯機１３を運転すると、第１接続部２０及び内室２２を介して第１通水路３４から浴槽水が吸い込まれ、これにより、吐出側第１逆止弁４７が閉じるとともに吸込側第１逆止弁４３が開く。このため、浴槽１１内の浴槽水は、フィルタ１９前面の吸込口６４から、吸込通路６８、各吸込口６１、吸込通路６７、カバー５１の吸込孔５２、吸込部４１、吸込側第１逆止弁４３、第１通水路３４、内室２２及び第１接続部２０を経て戻し管１５に吸い込まれ給湯機１３に戻される。一方、給湯機１３で加熱された浴槽水は、給湯管１４から第２接続部２１及び外室２３を介して第２通水路３５に供給され、これにより、吸込側第２逆止弁４６が閉じるとともに吐出側第２逆止弁４８が開く。このため、給湯機１３から給湯管１４を介して供給される加熱水は、第２接続部２１、外室２３、第２通水路３５、吐出側第２逆止弁４８、吐出通路形成部３８、吐出口６３，６５を経て浴槽１１内に吐出される。
【００２８】
以上詳述した本実施形態は、以下の各効果を有する。
（１）  吐出側第１逆止弁４７及び吐出側第２逆止弁４８が共にボール式逆止弁であってボール５０が鉛直方向に開閉動作するように構成されているので、ばねを用いた逆止弁に較べて、ボール５０の開閉動作に浴槽水中の毛髪やタオル繊維等が悪影響を及ぼしにくい。このため、吐出側第１逆止弁４７から吐出通路形成部３８に浴槽水が吐出されるときには、吐出側第２逆止弁４８が確実に閉じ、また、吐出側第２逆止弁４８から吐出通路形成部３８に浴槽水が吐出されるときには、吐出側第１逆止弁４７が確実に閉じる。従って、吐出側第１逆止弁４７と吐出側第２逆止弁４８とを隔壁の両側に設けても、吐出側第１逆止弁４７（吐出側第２逆止弁４８）から吐出通路形成部３８に吐出された浴槽水の一部が、完全に閉じていない吐出側第２逆止弁４８（吐出側第１逆止弁４７）を通じて給湯機１３に戻ってしまうことがない。よって、浴槽１１内の浴槽水の温度を効率的に上昇させることができる。
【００２９】
（２）  吐出口６３，６５が浴槽用循環具１０の真下を向くように開口しているので、給湯機１３から浴槽用循環具１０に供給された浴槽水は、浴槽用循環具１０から浴槽１１の下方に向かって吐出される。さらに、吐出通路形成部３８内には、吐出通路形成部３８から吐出口６３，６５を通じて浴槽１１に吐出する浴槽水の向きを浴槽用循環具１０が取付固定された側壁１２側に向くように案内する案内部５４が設けられている。この案内部５４により、浴槽用循環具１０の吐出口６３，６５から浴槽１１内に吐出された浴槽水は、吐出口６３，６５の真下よりも前記側壁１２側に傾いた方向に向かって吐出される。このため、給湯機１３から浴槽用循環具１０に供給された加熱水は、浴槽１１の側壁１２から底面に沿って浴槽１１の長手方向に移動するので、浴槽１１の底部側のより温度の低い浴槽水全体と効率良く混じり合う。従って、浴槽１１内の浴槽水において、上下方向で発生する温度差が抑制され、浴槽内の浴槽水全体の温度がより均一な状態で上昇する。
【００３０】
（３）  吐出側第１逆止弁４７の吐出側と、吐出側第２逆止弁４８の吐出側とを、循環具本体１８の内部に設けた吐出空間５５に開口させ、共通の吐出口６３，６５に連通させた。このため、給湯管１４及び戻し管１５と、第１接続部２０及び第２接続部２１との間の組み合わせに関係なく、吐出側第１逆止弁４７又は吐出側第２逆止弁４８から吐出された加熱水が、浴槽用循環具１０の真下に位置する吐出口６３，６５から浴槽１１内に吐出される。従って、上記（２）に記載の効果がより顕著となる。
【００３１】
（４）  カバー５１に設けた案内部５４により、吐出側第１逆止弁４７又は吐出側第２逆止弁４８から吐出空間５５に吐出された浴槽水を、浴槽用循環具１０が取付固定された浴槽１１の側壁１２側に傾いた方向に向かわせるように案内した。このため、浴槽用循環具１０の吐出口６３，６５から浴槽１１内に吐出された加熱水は、側壁１２の内面に沿って下方に移動し、側壁１２内面と底面との間の円弧部に沿って円滑に向きを変えた後、底面に沿って浴槽１１の長手方向に移動しながら底面側の浴槽水と混じり合う。一方、浴槽用循環具１０の吐出口６３，６５から真下に向かって加熱水が吐出された場合には、加熱水が向きを変えないままで底面に直角的に達するので、その一部は、底面に沿って浴槽１１の長手方向に移動せず、浴槽１１内の浴槽水の上方に移動する。従って、本実施形態によれば、上記（２）に記載の効果がより顕著となる。
【００３２】
（５）  吐出側第１逆止弁４７及び吐出側第２逆止弁４８の弁座３９及び弁体収容部４０を、循環具本体１８に一体形成した。一方、循環具本体１８と独立して構成した逆止弁４７，４８を循環具本体１８に組み付けるようにした場合には、循環具本体１８の流路内に配設した逆止弁４７，４８と流路内面との間にＯリング等のシール部材を設ける必要があり、その分の部品点数及び組立工数が増大する。従って、本実施形態では、部品点数及び組立工数を削減することができる。
【００３３】
（６）  循環具本体１８に一体に形成した弁座３９及び弁体収容部４０に対し、弁体収容部４０にボール５０を入れた後、弁体収容部４０の開口部を塞ぐ弁蓋体４９を循環具本体１８の凹部１８ａに組み付けるだけで吐出側第１逆止弁４７及び吐出側第２逆止弁４８が構成される。よって、組立が容易となる。
【００３４】
なお、本実施形態は、次のように変更して具体化することも可能である。
・  前記吐出空間５５を設けず、吐出側第１逆止弁４７の吐出側と、吐出側第２逆止弁４８の吐出側とを、フィルタ１９の周壁に設けた一対の吐出口に対し、互いに独立した状態で連通させた構成としてもよい。
【００３５】
・  前記吸込通路６７，６８を設けず、各吸込部４１，４２を、フィルタ１９の前面に設けた一対の吸込口に対し、互いに独立した状態で連通させた構成としてもよい。
・  前記両逆止弁４７，４８におけるボール５０の開閉動作方向を鉛直方向から最大３０°までの範囲内で傾かせるように循環具本体１８を浴槽１１に取付固定するとともに、前記吐出口６５を鉛直方向から最大３０°までの範囲内で傾いた方向を向くように循環具本体１８に取付固定した構成としてもよい。このような構成であっても、請求項１に記載の効果を得ることができる。但し、ボール５０の開閉動作方向と吐出口６５の向きとが、ともに鉛直方向から最大１５°までの範囲内で傾いた方向であれば効果が顕著となる。
【００３６】
以下、前記各実施形態から把握できる技術的思想について記載する。
（１）  請求項１〜請求項５のいずれか一項に記載の浴槽用循環具において、前記第１吐出口及び第２吐出口を真下から最大１５°までの範囲内で傾かせたことを特徴とする浴槽用循環具。このような構成によれば、請求項１の効果が顕著となる。
【図面の簡単な説明】
【００３７】
【図１】一実施形態の浴槽用循環具を示す分解斜視図。
【図２】浴槽用循環具が取付固定された浴槽を示す斜視図。
【図３】浴槽及び循環式給湯機を示す側面図。
【図４】浴槽用循環具を示す縦断面図。
【図５】循環具本体を示す正面図。
【図６】図５におけるＡ−Ａ線縦断面図。
【図７】図５におけるＢ−Ｂ線断面図。
【図８】（ａ）は図５におけるＣ−Ｃ線断面図、（ｂ）は同じくＤ−Ｄ線断面図。
【図９】（ａ）はカバーを示す正面図、（ｂ）は（ａ）におけるＥ−Ｅ線断面図。
【図１０】（ａ）はフィルタベースを示す正面図、（ｂ）は（ａ）におけるＦ−Ｆ線断面図。
【図１１】（ａ）は吸込側第１逆止弁を示す縦断面図、（ｂ）はその作動状態を示す縦断面図。
【図１２】カバーを外した状態の循環具本体を示す正面図。
【図１３】（ａ）は吐出側第１逆止弁を示す縦断面図、（ｂ）はその作動状態を示す縦断面図、（ｃ）は（ａ）におけるＧ−Ｇ線断面図。
【符号の説明】
【００３８】
１０…浴槽用循環具、１１…浴槽、１２…側壁、１３…循環式給湯機、１４…往路としての給湯管、１５…復路としての戻し管、１８…循環具本体、２０…第１接続部、２１…第２接続部、３９…弁座、４０…弁体収容部、４１…第１吸込口を構成する吸込部、４２…第２吸込口を構成する吸込部、４７…吐出側第１逆止弁、４８…吐出側第２逆止弁、４９…弁蓋体、５０…ボール、５２…第１吸込口を構成する吸込孔、５３…第２吸込口を構成する吸込孔、５４…案内部、５５…吐出空間、６１…第１吸込口及び第２吸込口を構成する吸込口、６３，６５…第１吐出口及び第２吐出口としての吐出口、６４…第１吸込口及び第２吸込口を構成する吸込口、６７…同じく吸込通路、６８…同じく吸込通路。
【図１】
2006046828.tif 000003
【図２】
2006046828.tif 000004
【図３】
2006046828.tif 000005
【図４】
2006046828.tif 000006
【図５】
2006046828.tif 000007
【図６】
2006046828.tif 000008
【図７】
2006046828.tif 000009
【図８】
2006046828.tif 000010
【図９】
2006046828.tif 000011
【図１０】
2006046828.tif 000012
【図１１】
2006046828.tif 000013
【図１２】
2006046828.tif 000014
【図１３】
2006046828.tif 000015